Podtech/llm-jp-corpus-v4-ja_patent huggingface dataset:
(57)【要約】      （修正有）【課題】段差刀片は半分以上の材料を節約し、重量も軽くなる。更に、各副刀片の裁断刀に補助リブを設置し、この刀刃は一般のシュレッダーより厚く、故に、裁断時に紙詰まりが生じにくく、切断が円滑であるシュレッダーの刀片構造を提供する。【解決手段】シュレッダーの刀片構造であって、一対の円筒形のローラー刀からなり、前記ローラー刀は多辺形の軸棒と、前記軸棒に設置される段差刀片を有し、二円筒形ローラー刀上の段差刀片は交錯して組み合わされる。各段差刀片は、二組の副刀片からなり、その特徴は、各副刀片内側に、複数の凸ブロックを設置し、前記副刀片の内円を環繞して、副刀片の厚さと強度を補強し、二組の副刀片は、凸ブロックと凸ブロックを対接して、一組の段差刀片にする。【選択図】図３
0003142611.tif 000002
【実用新案登録請求の範囲】
【請求項１】
シュレッダーの刀片構造であって、二個の反対方向に回転する円筒形のローラー刀からなり、前記ローラー刀は多辺形の軸棒と、前記軸棒に設置される段差刀片を有し、相隣する段差刀片間にパッドを有し、二円筒形ローラー刀上の段差刀片は交錯して組み合わされ、各段差刀片は、二組の近接した副刀片からなり、各段差刀片の副刀片周縁上に、少なくとも一つの裁断刃を形成し、前記副刀片から外に凸伸し、その特徴は、前記段差刀片の副刀片内側に、複数の凸ブロックを設置し、前記副刀片の内円を環繞して、前記副刀片の厚さと強度を補強し、二組の副刀片は、凸ブロックと凸ブロックを対接して、一組の段差刀片にし、前記裁断刀上に補助リブを設置し、前記裁断刃の強度を増強することを特徴とする、シュレッダーの刀片構造。
【考案の詳細な説明】
【技術分野】
【０００１】
本考案はシュレッダーの刀片構造に関し、特に、シュレッダーの刀片上に複数の凸塊を設置して、副刀片の厚さを増加し、刀片の強度を増加するシュレッダーの刀片構造に関する。
【背景技術】
【０００２】
公知のシュレッダーの刀具は、図１のように、二個の円筒形ローラー刀１、１’からなり、各刀は多辺形の軸棒２と、軸棒２に設置された段差刀片４、からなる。且つ、相隣する段差刀片４の間にパッド６を設置し、その間を隔て、両円筒形ローラー刀上の段差刀片４が交錯して組み合わされる。図２のように、各段差刀片４は、二組の背中合わせで設置された副刀片４ａから構成され、各段差刀片４ａ周縁上に、複数の裁断刀４ｂを有し、シュレッダーの裁断刀４ｂにより裁断を実行する時、これらの刀片の裁断刃４ｂは同時に紙を裁断する。複数の紙を裁断する時、大きい出力モーターが必要で、シュレッダーの駆動ギアが受ける力が大きく、ギア上の歯が断裂する恐れがある。
【考案の開示】
【考案が解決しようとする課題】
【０００３】
本考案の目的は、シュレッダーの刀片構造を提供し、上述の問題を解決することにある。
【課題を解決するための手段】
【０００４】
本考案のシュレッダーの刀片構造は、主に、シュレッダー刀具の段差刀片の各副刀片上に、複数の凸ブロックを増設して、副刀片の厚さを増加し、刀片の強度を増強する。二副刀片は凸ブロックと凸ブロックを対接して、一組の段差刀片にし、コストを減少させる。裁断刀上に補助リブを設置し、故に、刀刃は厚く、シュレッダーが裁断する時、出力する馬力が小さく、且つ、駆動ギアが受ける力が相対して小さく、段差刀片の重量が軽く、強度が強いので、紙詰まりが生じにくく、円滑に、裁断作業を行うことができる。
【考案の効果】
【０００５】
本考案の刀片構造により、紙詰まりが生じにくく、円滑に、裁断作業を行うことができる。
【考案を実施するための最良の形態】
【０００６】
図３のように、本考案は、二個の円筒形ローラー刀１０、１０´からなり、各ローラー刀は多辺形の軸棒１２と、軸棒１２に設置された段差刀片１４、からなる。相隣する段差刀片１４間にパッド１６を設置し、その間を隔て、両円筒形ローラー刀１０、１０´上の二段差刀片１４が交錯して組み合わされる。図４、図５のように、各段差刀片１４は、二組の背中合わせで設置された副刀片１４ａから構成され、各段差刀片１４ａ周縁上に、それぞれ、一組以上の裁断刀１４ｂを有し、二組の近接した副刀片１４ａ上の対応する裁断刃１４ｂが紙を裁断する。
【０００７】
本考案は、各組の段差刀片１４の副刀片１４ａ内側に、複数の凸ブロック１４ｃを設置し、長方形の複数の凸ブロック１４ｃは、副刀片１４ａの内円を環繞し、副刀片１４ａの強度を増加する以外に、副刀片１４ａの厚さを増加し、二組の近接する副刀片１４ａは、凸ブロックと凸ブロックを対接して、一組の段差刀片１４にし、コストを減少させる。
【０００８】
また、副刀片１４ａ裁断刃１４ｂは、９０度湾折した刀刃で、外縁は補強リブ１４ｄを設置して、裁断刃１４ｂの強度を増強し、裁断刃１４ｂは一般のシュレッダーの刃より厚く、故に、裁断力が強く、紙詰まりが生じにくい。
【０００９】
操作時、本考案のシュレッダー刀具は、段差刀片１４の裁断刃１４ｂにより紙を押さえ、副刀片１４ａ外縁の円環上の刀片により、細長い紙を一段一段の紙くずに裁断して、機密性を確保する。この他、本考案のシュレッダーの刀具の独特な構造設計により、刀具１０上のすべての副刀片１４ａ上に補強のための凸ブロック１４ｃを設置し、最外縁の裁断刃１４ｂは厚い。二組のローラー刀１０、１０´の二段差刀片１４が交差する時、一つの段差刀片１４の裁断刃１４ｂはもう一つの断裁刀片１４の凸ブロック１４ｃ背上を抵接し、副刀片１４ａは凸ブロック１４ｃにより一組の段差刀片１４を構成し、高品質、高効率、低騒音、及び、低コストを達成する。
【図面の簡単な説明】
【００１０】
【図１】公知のシュレッダー刀具の立体図
【図２】公知のシュレッダー刀具の副刀片の平面図
【図３】本考案の立体図
【図４】本考案の段差刀片の外観図
【図５】本考案の段差刀片の平面図
【符号の説明】
【００１１】
１          ローラー刀
１´        ローラー刀
２          軸棒
４          段差刀片
４ａ        副刀片
４ｂ        裁断刃
６          パッド
１０        ローラー刀
１０´      ローラー刀
１２        軸棒
１４        段差刀片
１４ａ      副刀片
１４ｂ      裁断刃
１４ｃ      凸ブロック
１４ｄ      補助リブ
１６        パッド
【図１】
0003142611.tif 000003
【図２】
0003142611.tif 000004
【図３】
0003142611.tif 000005
【図４】
0003142611.tif 000006
【図５】
0003142611.tif 000007
(57)【要約】      （修正有）【課題】計量器の軸や歯車に付着した油などの汚れを取り除く作業において、ブラシによる手洗い洗浄作業を削減させる洗浄装置を提供する。【解決手段】ブラシに洗浄液をつけて計量器１ａ，１ｂ，１ｃ，１ｄを洗浄する装置において、タイミングベルト１２とプーリーを組合せることにより、複数のロールブラシ２ａ，２ｂを同時に回転させることができ、ロールブラシは洗浄槽に入れた洗浄液３と計量器の間に位置することにより、ロールブラシの回転に伴い、計量器を定位置に装着でき、常に洗浄液のついたロールブラシで複数の計量器を洗浄することができる。【選択図】図１
0003142613.tif 000002
【実用新案登録請求の範囲】
【請求項１】
ブラシに洗浄液をつけて計量器を洗浄する装置において、タイミングベルトとプーリーを組合せることにより、複数のロールブラシを同時に回転させることができ、ロールブラシは洗浄槽に入れた洗浄液と計量器の間に位置することにより、ロールブラシの回転に伴い、計量器を定位置に装着でき、常に洗浄液のついたロールブラシで複数の計量器を洗浄することができることを特徴とする計量器洗浄装置。
【考案の詳細な説明】
【技術分野】
【０００１】
本考案は、電力量計に使用されている計量器を洗浄するための洗浄装置に関するものである。
【背景技術】
【０００２】
電力量計に使用されている計量器は、電力量計の修理の際に取り外して超音波洗浄を行う。
長期間使用された電力量計に内蔵されていた計量器には、軸や歯車に油などの汚れが付着しており、超音波洗浄だけでは汚れを落とし切れない。
そのため、超音波洗浄を行う前に、ブラシと洗浄液を使用して、一台ずつ手洗で洗浄を行っている。
【０００３】
洗浄液には、一般的にエタノールを使用しているが、軸や歯車に付いた油などの汚れを洗浄することは厄介で、かなりの時間と労力を要する。
また、最終的に超音波洗浄を行うことから、汚れを完全に落とす必要はないが、ブラシによる洗浄が不十分であると、始動電流で回転子が回転しない、器差変動による再調整などの不具合が発生し、作業効率の低下を招いていた。
【考案の開示】
【考案が解決しようとする課題】
【０００４】
そこで本考案が解決しようとする課題は、ブラシによる洗浄工程における上記欠点を解決し、作業効率を向上することができる計量器洗浄装置を提供することである。
【課題を解決するための手段】
【０００５】
本考案は、複数のロールブラシを並設させ同時に回転させることにより、複数の計量器を同時に洗浄でき、超音波洗浄の前処理として十分に汚れを洗浄できることを特徴とする。
【考案の効果】
【０００６】
複数の計量器を同時に洗浄できるため、時間が短縮でき、手洗いにより発生する洗浄のばらつきを改善し、労力の削減もできるという利点がある。
【考案を実施するための最良の形態】
【０００７】
並設した複数のロールブラシ２を同時に回転させ、複数の計量器１を同時に洗浄できるようにするとともに、ロールブラシ２の回転により、計量器１を定位置に装着できる方法を実現した。
【実施例】
【０００８】
図１は、本考案装置の１実施例の平面及び破砕断面図であって、スイッチ７とタイマー６を有する操作部８と洗浄液３を入れロールブラシ２により計量器１を洗浄する洗浄槽４とタイミングベルト１２、モーター用プーリー１３、ロールブラシ用プーリー１４及びテンションローラー１１を収納する駆動ボックス９とモーター１０を示したものである。
【０００９】
モーター１０の回転軸及びロールブラシ２の軸に図３に示すモーター用プーリー１３とロールブラシ用プーリー１４を固着させ、タイミングベルト１２により同時に回転させる。
このとき、ロールブラシ用プーリー１４とタイミングベルト１２が滑り、回転しないロールブラシ２の発生を無くすため、テンションローラー１１によりタイミングベルト１２に常時テンションを加えることで、全てのロールブラシ２が同時に回転できる。
【００１０】
洗浄槽４には、洗浄液３を図２に示すようにロールブラシ２の軸付近まで入れ、計量器１を図１に示す計量器挿入孔５に挿入する。
【００１１】
計量器挿入孔５は、挿入された計量器1をロールブラシ２の回転により、洗浄液３方向へ引っ張られる位置にすることで、洗浄時には計量器１を定位置にできる。
【００１２】
スイッチ７とタイマー６は、モーター１０を制御するもので、洗浄に必要な時間を任意に設定でき、自動的に停止できる。
スイッチ７とタイマー６の回路は一般的なもので問題ないため、詳細な説明は省略する。
【００１３】
以上の構成により、同時に複数の計量器を洗浄できる計量器洗浄装置が可能となる。
【産業上の利用可能性】
【００１４】
電力量計の修理品における不動作や再調整などの不具合を削減することにより、作業効率の向上が図れ、経済効果が期待できる。
【図面の簡単な説明】
【００１５】
【図１】計量器洗浄装置を示した平面及び破砕断面図で、（A）は上面図、（B）は正面図である。
【図２】計量器洗浄装置を示した図１のａ−ａ断面図である。
【図３】計量器洗浄装置の駆動部を示した背面断面図である。
【符号の説明】
【００１６】
１    計量器
２    ロールブラシ
３    洗浄液
４    洗浄槽
５    計量器挿入孔
６    タイマー
７    スイッチ
８    操作部
９    駆動ボックス
１０  モーター
１１  テンションローラー
１２  タイミングベルト
１３  モーター用プーリー
１４  ロールブラシ用プーリー
【図１】
0003142613.tif 000003
【図２】
0003142613.tif 000004
【図３】
0003142613.tif 000005
(57)【要約】      （修正有）【課題】メガネを非装着時にレンズ表面を下側にして置いた場合であっても、フレーム等に突起等を設けずに、レンズ表面へのキズ付き防止を図るメガネを提供する。【解決手段】メガネ用レンズがレンズの反対側から見てもレンズとしての機能を損なわないことに着眼し、従来レンズの凸部を外側（可視物側）に装着するものを、逆に装着することで、レンズの表面を凹型とすることにある。【選択図】図３
0003142674.tif 000002
【実用新案登録請求の範囲】
【請求項１】
近視用または遠視用のメガネであって、メガネフレームに取り付けられるメガネレンズが、レンズの凸部を内側に取り付けられることを特徴とするレンズキズ防止構造のメガネ。
【考案の詳細な説明】
【技術分野】
【０００１】
本考案はレンズにキズが付かない構造を有するメガネに関する
【背景技術】
【０００２】
従来のメガネは、レンズが凸型であるためレンズ表面がメガネフレームより外側にせり出す構造であるため、非装着時にレンズ表面を下側にして置いた場合、レンズにキズが付き易い構造となっている。これらの改善のためフレームに突起を設ける等の考案が出願されている。
【特許文献１】特開２００６−３２３３２４
【特許文献２】実開平６−１６９３７
【考案の開示】
【考案が解決しようとする課題】
【０００３】
メガネを非装着時にレンズ表面を下側にして置いた場合であっても、フレーム等に突起等を設けずに、レンズ表面へのキズ付き防止を図ることを課題とする。
【課題を解決するための手段】
【０００４】
本考案はメガネ用レンズがレンズの反対側から見てもレンズとしての機能を損なわないことに着眼し、従来レンズの凸部を外側（可視物側）に装着するものを、逆に装着することで、レンズの表面を凹型とすることにある。これは近視用、遠視用にかかわらずレンズの反対側から見てもレンズとしての機能を損なわないものである。
【考案の効果】
【０００５】
これにより、メガネを非装着時にレンズ表面を下側にして置いた場合であっても、フレーム等に突起等を設けずに、レンズ表面へのキズ付き防止を図ることが可能となる。
【考案を実施するための最良の形態】
【０００６】
本考案の構造について、図面を引用して説明する。
図１はメガネ本体であり、図２は従来のメガネの図１のＡ−ａ断面図を示す。従来はレンズの凸部が外側に表れる構造である。図３は本考案の図１のＡ−ａ断面図であり、レンズの表裏を反対にフレームへ取り付ける。
【０００７】
既存のフレームにレンズを反対に取り付けられる場合は、レンズの装着を換えるだけで実施が可能である。既存のフレームにレンズを反対に取り付けることが困難な場合は、フレームの耳掛け部を反対に取り付けられるよう、構造を変更する。
【産業上の利用可能性】
【０００８】
メガネフレームの構造を変えるだけで実施が可能であり、あらたなメガネの構造としてメガネ供給者において生産、販売が可能である。
【図面の簡単な説明】
【０００９】
【図１】メガネ本体の斜視図
【図２】従来メガネの図１Ａ−ａ断面図
【図３】本考案の図１Ａ−ａ断面図
【符号の説明】
【００１０】
１  メガネ本体
２  レンズ
３  フレーム
４  フレーム耳掛け部
【図１】
0003142674.tif 000003
【図２】
0003142674.tif 000004
【図３】
0003142674.tif 000005
(57)【要約】【課題】外力を受けたと弾性連結片が緩衝効果を発揮するので、二つの硬質片体の相対距離は弾性的に変化可能であり、収容空間に入れられた品物が押付けられて損壊することを防止可能である樹脂バッグを提供する。【解決手段】互いに対向している二つの硬質片体を含み、前記二つの硬質片体の両側には弾性連結片がそれぞれ連結されており、収容空間を形成するために、前記二つの弾性連結片及び前記二つの硬質片体の底端のエッジには底部が連結されている。【選択図】図１
0003142676.tif 000002
【実用新案登録請求の範囲】
【請求項１】
互いに対向している二つの硬質片体を含み、前記二つの硬質片体の両側には弾性連結片がそれぞれ連結されており、収容空間を形成するために、前記二つの弾性連結片及び前記二つの硬質片体の底端のエッジには底部が連結されていることを特徴とする樹脂バッグ。
【請求項２】
前記二つの硬質片体の上縁の中央には、上に延びている握り部が設けられていることを特徴とする、請求項１に記載の樹脂バッグ。
【請求項３】
前記二つの硬質片体の表面には少なくとも一つの結合部がそれぞれ設けられていることを特徴とする、請求項１に記載の樹脂バッグ。
【考案の詳細な説明】
【技術分野】
【０００１】
本考案は、樹脂バッグに関し、特に、内部に緩衝空間及び伸長空間を有し、入れられた品物を保護可能であり、且つ携帯性が優れた樹脂バッグに関するものである。
【背景技術】
【０００２】
従来、樹脂バッグは、射出成形法によって一体成形されたものが多く、これは、前樹脂片体と、後樹脂片体とを含み、前樹脂片体と後樹脂片体の間は二つの側片体によって連結され、且つ前樹脂片体、後樹脂片体と側片体の底部のエッジには底部が設けられており、これにより、収容空間が形成され、そして前樹脂片体、後樹脂片体と側片体は全て硬質樹脂で作製される。
【０００３】
上記の樹脂バッグの使用方法は、品物が収容空間に入れられ、前樹脂片体と後樹脂片体が硬質樹脂で作製されたので、外力を受けたと前樹脂片体及び後樹脂片体が押付けられて変形し、ひいては収容空間に入れられた品物が押付けられて損壊し易くい。一方、側片体が硬質樹脂で作製され、前樹脂片体と後樹脂片体の間の距離が弾性的に伸長できないので、樹脂バッグの収容空間に入れ可能な品物の体積は制限される。
【考案の開示】
【考案が解決しようとする課題】
【０００４】
本考案の主な目的は、外力を受けたと弾性連結片が緩衝効果を発揮するので、二つの硬質片体の相対距離は弾性的に変化可能であり、収容空間に入れられた品物が押付けられて損壊することを防止可能な樹脂バッグを提供することにある。
本考案の次の目的は、二つの弾性連結片により二つの硬質片体の相対距離は弾性的に変化可能であるので、収容空間に入れ可能な品物の体積が更に大きくなる。
【課題を解決するための手段】
【０００５】
本考案の請求項１に記載の樹脂バッグによると、互いに対向している二つの硬質片体を含み、前記二つの硬質片体の両側には弾性連結片がそれぞれ連結されており、収容空間を形成するために、前記二つの弾性連結片及び前記二つの硬質片体の底端のエッジには底部が連結されていることを特徴とする樹脂バッグである。
【０００６】
本考案の請求項２に記載の樹脂バッグによると、前記二つの硬質片体の上縁の中央には、上に延びている握り部が設けられている。
本考案の請求項３に記載の樹脂バッグによると、前記二つの硬質片体の表面には少なくとも一つの結合部がそれぞれ設けられている。
【考案の効果】
【０００７】
本考案に係る樹脂バッグによれば、次のような効果がある。
（１）外力を受けたと弾性連結片が緩衝効果を発揮するので、二つの硬質片体の相対距離は弾性的に変化可能であり、収容空間に入れられた品物が押付けられて損壊することを防止可能である。
（２）二つの弾性連結片により二つの硬質片体の相対距離は弾性的に変化可能であるので、収容空間に入れ可能な品物の体積が更に大きくなる。
【考案を実施するための最良の形態】
【０００８】
以下、本考案の実施の形態を図面に基づいて説明する。
まず、図１及び図２を参照する。本考案に係る樹脂バッグは、互いに対向している二つの硬質片体１０，１１を含み、二つの硬質片体１０，１１の両側には弾性連結片１２，１３がそれぞれ連結されており、図２に示すように、収容空間１５を形成するために、二つの弾性連結片１２，１３及び二つの硬質片体１０，１１の底端のエッジには底部１４が連結されている。
二つの硬質片体１０，１１の上縁の中央には、上に延びている握り部１６が設けられており、二つの硬質片体１０，１１の表面には少なくとも一つの結合部１７がそれぞれ設けられており、結合部１７は、弾性結合部であってもいいし、硬質結合部であってもよく、二つの弾性連結片１２，１３の表面にも少なくとも一つの結合部がそれぞれ設けられており、前記結合部は、弾性結合部であってもいいし、硬質結合部であってもよい。
【０００９】
このような構成によれば、図３に示すように、収容空間１５に少量又は小型な品物２０を入れたと、樹脂バッグの側辺に弾性連結片１２が設けられており、樹脂バッグの側辺は伸縮可能であるので、このとき、二つの硬質片体１０，１１に外力を受けると、弾性連結片１２の緩衝力により二つの硬質片体１０，１１は収容空間へ押付けないので、収容空間１５に入れられた品物２０が押付けられて損壊することを防止可能である。
【００１０】
また、図４に示すように、収容空間１５により多量又は大型な品物３０を入れたと、樹脂バッグの側辺に弾性連結片１２が設けられており、樹脂バッグの側辺は伸縮可能であるので、このとき、品物３０が二つの硬質片体１０，１１に外側に押付けると、弾性連結片１２の弾性力により二つの硬質片体１０，１１の相対距離は変化可能であるので、収容空間１５に入れ可能な品物の体積が更に大きくなる。
【図面の簡単な説明】
【００１１】
【図１】本考案に係る樹脂バッグの斜視図である。
【図２】本考案に係る樹脂バッグの断面概略図である。
【図３】本考案に係る樹脂バッグに品物が入れられたときの緩衝状態を示す概略図である。
【図４】本考案に係る樹脂バッグに品物が入れられたときの伸長状態を示す概略図である。
【符号の説明】
【００１２】
１０：硬質片体
１１：硬質片体
１２：弾性連結片
１３：弾性連結片
１４：底部
１５：収容空間
１６：握り部
１７：結合部
２０：品物
３０：品物
【図１】
0003142676.tif 000003
【図２】
0003142676.tif 000004
【図３】
0003142676.tif 000005
【図４】
0003142676.tif 000006
(57)【要約】      （修正有）【課題】出入りの際に事故が起きるおそれのないよう安全性を確保したマンホールを提供する。【解決手段】 マンホール３の前部において、その緩斜壁５の上面に取っ手９が設けられている。取っ手９の形状は逆Ｕ字状が好ましいが、これに限定されるものではない。取っ手９の材質は、ステンレス鋼、鋼等であって良く、必要に応じて塗装を施すことも好ましい。取っ手９の長さも限定されないが、少なくとも手のひらの幅を有すればよい。取っ手９は緩斜壁５の上面に溶接によって固定されることが好ましいが、それ以外の手段で固定されても良い。【選択図】図１
0003142656.tif 000002
【実用新案登録請求の範囲】
【請求項１】
建物の屋上等に設置されたマンホールであって、当該マンホールの穴縁部を構成する壁の上面に取っ手が設けられていることを特徴とするマンホール。
【考案の詳細な説明】
【技術分野】
【０００１】
本考案は、集合住宅やオフィスビル、高層建築物等の屋上に設置されるマンホールに関するものであって、より詳しくは、マンホール内のはしごから屋上に出る際、または屋上からマンホール内のはしごに移る際に、安全性を確保することを目的とするものである。
【背景技術】
【０００２】
集合住宅やオフィスビル等の建物の屋上の保守、管理、点検等の目的でマンホールから屋上へ出ることがある。この場合、点検者は垂直ないしは急勾配のはしごを登ってほぼ上端まで達してからマンホールの蓋を開け、ついではしごから手を離してマンホールの穴から上体を出し、蓋をステーで開いた状態に保持し、マンホールの穴縁部を構成する緩斜壁の上に足を載せ、下半身もマンホールから出すのであるが、その際、体がはなはだ不安定な状態となり危険である。屋上では風が強いことが多いため危険性が一層高い。最悪の場合は、マンホールから屋上の床面に落ちたり、逆にマンホール内に落ちる恐れさえある。屋上からマンホールを経て建物内へ戻る場合も同じように危険が伴う。
【考案の開示】
【考案が解決しようとする課題】
【０００３】
本考案は、このような実情に鑑み、マンホールの出入りの際に上記のような事故が起きるおそれのないよう安全性を確保することを目的として工夫されたものである。
【課題を解決するための手段】
【０００４】
本考案は、建物の屋上等に設置されたマンホールであって、当該マンホールの穴縁部を構成する壁の上面に取っ手が設けられていることを特徴とするマンホールを提供するものである。
【０００５】
上記取っ手は、マンホールの穴縁部を構成する立ち上がり状のコンクリート製のマンホール用方形筒の上面に設けられていても良いし、このコンクリート製のマンホール用方形筒の上端を覆うように設けられたステンレス鋼製または鋼鉄製の緩斜状または水平の金属板に設けられていても良い。
【考案の効果】
【０００６】
本考案によるマンホールは、その穴縁部を構成する壁の上面に取っ手が設けられているので、マンホールの出入りの際に取っ手を掴むことにより安全な姿勢を保つことができ事故が起きるおそれがない。
【考案を実施するための最良の形態】
【０００７】
つぎに、本考案を具体的に説明するために、本考案の実施例を挙げる。ただし、この実施例は本考案を限定するものではない。
【０００８】
図１〜３において、（１）は集合住宅やオフィスビル、高層建築物等の屋上の床面、（２）は床面（１）の所要位置に立ち上がり状に設けられたコンクリート製のマンホール用方形筒、（３）は方形筒（２）の上端に設けられたステンレス鋼製または鋼鉄製のマンホールで、マンホール（３）は中央の穴（４）の周縁部を構成するほぼ水平の緩斜壁(５)と、穴（４）を塞ぐ蓋（６）と、蓋（６）を開いた状態に保持する左右一対のステー（７）（７）とから主として構成されている。蓋（６）は穴（４）の後部に左右一対のヒンジ（８）（８）を介して取り付けられている。左右一対のステー（７）（７）は、それぞれ蓋（６）の側部と緩斜壁(５)の内周立ち当たり部(5a)の側部とにわたって設けられ、３段階に伸縮して蓋（６）の開き角度を調整することが出来る。
【０００９】
このような構成を有するマンホール（３）の前部において、その緩斜壁(５)の上面に取っ手（９）が設けられている。取っ手（９）の形状は図に示すように逆Ｕ字状が好ましいが、これに限定されるものではない。取っ手（９）の材質は、ステンレス鋼（ＳＵＳ）、鋼（ＳＳ）等であって良く、必要に応じて塗装を施すことも好ましい。取っ手（９）の長さも限定されないが、少なくとも手のひらの幅を有すればよい。取っ手（９）は緩斜壁(５)の上面に溶接によって固定されることが好ましいが、それ以外の手段で固定されても良い。
【００１０】
なお、図において、（１０）（１１）はマンホール（３）を方形筒（２）の上面に固定するアンカーボルトとそのナット、（１２）は蓋（６）の下面前端に回動自在に設けられた舌片、（１３）は緩斜壁(５)の内周立ち当たり部(5a)に設けられた横U字状の係止片、（１４）は蓋閉鎖時に係止片（１４）が舌片（１２）の長孔（１５）を通過した後、その通過部に設けられた錠前である。
【００１１】
上記のように構成されたマンホールにおいて、点検者ははしごを上端まで登ってマンホールの蓋（６）を開け、ついではしごから手を離してマンホールの穴（４）から上体を出し、蓋（６）をステー（７）で開いた状態に保持し、両手で取っ手（９）を掴む。この状態で緩斜壁（５）の上に足を載せ、下半身もマンホールから出す。したがって、安定な姿勢を保つことができ楽にマンホールから屋上へ出ることが出来る。屋上からマンホールを経て建物内へ戻る場合も上記と同じように安全性が確保される。
【図面の簡単な説明】
【００１２】
【図１】本考案によるマンホールを示す斜視図である。
【図２】同マンホールの蓋閉鎖状態を示す部分拡大断面図である。
【図３】同マンホールの一部切り欠き平面図である。
【符号の説明】
【００１３】
(1)   床面
（２） マンホール用方形筒
（３） マンホール
（４） 穴
(5)  緩斜壁
(5a)  内周立ち当たり部
（６）  蓋
（７）  ステー
（８）  ヒンジ
（９）  取っ手
（１０）  アンカーボルト
（１１）  ナット
（１２）  舌片
（１３）  係止片
（１４）  錠前
（１５）  長孔
【図１】
0003142656.tif 000003
【図２】
0003142656.tif 000004
【図３】
0003142656.tif 000005
(57)【要約】      （修正有）【課題】家族間の団らんや、比較的多数の者が列席する会食などにおいて、興趣を妨げないよう穏やかな雰囲気をかもす手段に用いる用具で、特に、幼児などが食事に興味をもつようにする開閉式紙コースターを提供する。【解決手段】平面形状が同形の表紙１及び台紙２の端部を貼付け、開閉自在に形成し、表紙１に人の興趣をもたらす模様３を描出し、該模様３の端部を除く輪郭部分を切って、該輪郭部分を開閉自在に形成し、表紙１及び台紙２の間に所用の紙片などを挟んだり、箸置き４などを形成して、食事の便宜を図ったりすることのできる開閉式紙コースターである。【選択図】図１
0003142659.tif 000002
【実用新案登録請求の範囲】
【請求項１】
平面形状が同形の表紙１及び台紙２の端部を貼付け開閉自在に形成し、表紙１に模様３を描出して該模様３の端部を除く輪郭部分を切って該輪郭部分を開閉自在に形成したことを特徴とする開閉式紙コースター
【考案の詳細な説明】
【技術分野】
【０００１】
本考案は、会食等の興趣を維持するための紙製コースターに関するものである。
【背景技術】
【０００２】
例えば、家族間の食事において、楽しい雰囲気をつくり、幼児に食事に興味をもたせたい場合、用いるコースターの中に可憐な動物がいれば、幼児に対して食事に興味を抱かせることも可能となると思われる。或いは比較的多数の者が列席する種々の会食等において、会食の目的や性質を顧慮して多種の配慮が求められる場合に、例えば、席決めや役割分担を決める手段として、あからさまな抽選などによると興趣をそぐ印象は避けられず、より穏当な手段が求められることがある。このような場合に用いることができる簡易な手段については、従来適切な提案がなされていない。
【０００３】
また、会費などを徴収する場合、例えば気の毒な事情のある列席者に対し、納付を免除する措置をとるときなど、徴収した者には領収書をさりげなく交付することが適切であるが、その交付手段についても従来適切な提案はされていないのが現状である。
【０００４】
最近、食生活が豊かになるに伴い、比較的低年齢の者の間食により、食生活が乱れ、成長期に必要な栄養素が十分摂取できないなどの心配が生じている。これ等の者に、正規な食事に関心を持たせる手段が求められているが、未だ適切な手段は提案されていない。このような場合、例えば興味をそそる勇者が食卓にいれば、正規な食事に興味を持たせることも可能となると思われる。
【非特許文献１】手図くりカードアイデアブック  河井書房新社編集部  ２００５年
【考案の開示】
【考案が解決しようとする課題】
【０００５】
解決しようとする問題点は、家族間の食生活を規律したり、比較的多数の者が列席する会食の興趣を妨げないようにする手段として、食卓にあるごく卑近な用具であるコースターの活用を提案するにある。
【課題を解決するための手段】
【０００６】
本考案は、食器の積載に用いるコースターを、年齢に従い食卓につくことに興味を喚起する形状に形成し、或いは会食の興趣を維持しながら、会食に附帯する事項を処理する用具に用いることを可能とする形態に形成することを最も主要な特徴とする。
【考案の効果】
【０００７】
本考案のコースターは、台紙と台紙表面端部へ開閉自在に貼付した興趣ある模様を刻設した表紙からなるので、表紙を閉じた状態においても模様の形状が判別でき、該模様毎に一定目的、例えば、会食の際の役割を分担すべき者に配布する模様はどのようなものか、予め主催者が決めておけばその目的に沿っで配布することができ、また開いた状態においては、表紙により隠されていた台紙部分に処理すべき会食附帯事項に関する記載を表示しておくことにより、列席者にとり意外な快い効果をもたらすことができるし、或いは目立たせずに前記領収書等を収納しておくことができる。
【考案を実施するための最良の形態】
【０００８】
台紙に貼付した表紙に描出して端部を除き輪郭部分を切った模様を台紙表面に貼付すれば、表紙を開いたとき台紙表面には模様が表示され、表紙には模様の輪郭が表示され、その美的効果を一層高めることができる。
【実施例１】
【０００９】
図１は、本考案に係る開閉式紙製コースターの表紙１を９０度開いた状態を示す斜視図であって、本図に示すように、平面形状が同形の表紙１及び台紙２の端部を貼付し、開閉自在に形成し、表紙１に人に興味を起こさせる模様３、例えば幼児向けの可憐な動物或いは勇者の絵或いは成人向けの風物などを描出し、該模様３の端部を除く輪郭部分を切って輪郭部分を開閉自在に形成したことを特徴とする開閉式紙コースターである。なお、必要により、箸置き４などを併せて形成すると便利である。
【産業上の利用可能性】
【００１０】
本考案に係る開閉式紙コースターは、コースターに用いる外、表紙１及び台紙２の間に模様３に被覆された状態で幼児など向けの紙片を挿入するなどして、紙片に表示された事物を当てる遊戯などに用いることができる。
【図面の簡単な説明】
【００１１】
【図１】表紙１を９０度開いた状態を示す斜視図である。
【符号の説明】
【００１２】
１    台紙
２    台紙
３    模様
４    箸置き
【図１】
0003142659.tif 000003
(57)【要約】【課題】散乱Ｘ線除去用グリッドを収納する際に、散乱Ｘ線除去用グリッドの周辺部、表面を保護し、様々なサイズの散乱Ｘ線除去用グリッドを分類して収納することにより、医療従事者が安全かつ迅速に散乱Ｘ線除去用グリッドを扱うことが可能な、散乱Ｘ線除去用グリッド収納棚を提供する。【解決手段】収納棚の仕切板、サイド支柱板、前面板、裏面板、底板に緩衝材を取り付けることにより、散乱Ｘ線除去用グリッドの周辺部および表面が損傷を受けないように保護する。さらに医療従事者が散乱Ｘ線除去用グリッドを取り扱う際、容易にサイズを見分けることができるよう、仕切板の高さを前部から後部に向かって高くすることにより、前部には小さいサイズ、後部には大きいサイズ、最後部には長尺の散乱Ｘ線除去用グリッドを分類して収納する機能を持つ。【選択図】図１
0003142029.tif 000002
【実用新案登録請求の範囲】
【請求項１】
緩衝材を装着することにより、散乱Ｘ線除去用グリッドを保護しつつ収納することが可能な、散乱Ｘ線除去用グリッド収納棚。
【請求項２】
散乱Ｘ線除去用グリッドをサイズ別に分類して収納することを目的とし、さらに長尺散乱Ｘ線除去用グリッドを収納することも可能な散乱Ｘ線除去用グリッド収納棚。
【考案の詳細な説明】
【技術分野】
【０００１】本考案は、散乱Ｘ線除去用グリッド収納棚に関し、散乱Ｘ線除去用グリッドを損傷から保護しつつサイズ別に分類して収納すること、さらに長尺散乱Ｘ線除去用グリッドを収納することが可能な散乱Ｘ線除去用グリッド収納棚に関する。
【背景技術】
【０００２】従来、散乱Ｘ線除去用グリッドを収納する際の棚は、専用のものであっても散乱Ｘ線除去用グリッドを保護する緩衝材が施されておらず、また、多くの医療機関において専用の収納棚が用いられることが少ないのが現状である。さらにサイズ別に分類して収納することや、長尺散乱Ｘ線除去用グリッドを収納することが困難な収納棚が多用されている。
【考案の開示】
【考案が解決しようとする課題】
【０００３】上述の棚において散乱Ｘ線除去用グリッドの収納を試みると、散乱Ｘ線除去用グリッドと棚がぶつかり合う、または擦れる為に散乱Ｘ線除去用グリッドの表面または周辺部に損傷を受けることがある。【０００４】サイズ別に収納されていない場合、診断用Ｘ線撮影をする医療従事者が必要とするサイズのグリッドを瞬時に見分けることが困難であり、特に緊急を要する場合等は、撮影に支障を来すことが予想される。さらに、１ｍ前後の長さの長尺散乱Ｘ線除去用グリッドを、不安定な状態で収納している場合、散乱Ｘ線除去用グリッドや収納棚の転倒につながる為、危険である。【０００５】本考案は、上述の不都合を解消しようとするもので、棚の素材との摩擦で散乱Ｘ線除去用グリッドが損傷を受けることを防止し、医療従事者が見分けることが容易であるようサイズ別に散乱Ｘ線除去用グリッドを収納することを可能にし、安全に長尺散乱Ｘ線除去用グリッドを収納できる棚を提供しようとするものである。
【課題を解決するための手段】
【０００６】本願の請求項１に係る考案は、収納棚の仕切板、サイド支柱板、前面板、裏面板、底板に緩衝材を取り付けることにより、散乱Ｘ線除去用グリッドの周辺部および表面が損傷を受けないように保護する。請求項２に係る考案では、請求項１に係る考案に加えて、容易にサイズを見分けることができるよう、前部には小さいサイズ、後部には大きいサイズ、最後部には長尺の散乱Ｘ線除去用グリッドを分類して収納することを目的として、仕切板の高さを前部から後部に向かって段階的に高くする。
【考案の効果】
【０００７】本考案を用いることで、収納の際に散乱Ｘ線除去用グリッドの周辺部、表面が損傷を受けることを防止し、散乱Ｘ線除去用グリッドの機能をより長く保つことが可能である。サイズ別に散乱Ｘ線除去用グリッドを収納することで、医療従事者が瞬時に見分けることができ、より迅速に取り扱うことが可能である。長尺散乱Ｘ線除去用グリッド収納部分を収納棚の最後部に設けたことにより、収納棚及び散乱Ｘ線除去用グリッドの転倒を防止し、安全かつコンパクトに収納することが可能である。
【考案を実施するための最良の形態】
【０００８】本考案の実施形態を、図面を用いて詳細に説明する。図１本考案の外観斜視図であり、図２はその断面図である。仕切板１、サイド支柱板２、前面板３、裏面板４、底板５にゴムまたはウレタン素材の散乱Ｘ線除去用グリッド保護用緩衝材６を取り付けることにより、散乱Ｘ線除去用グリッド９または長尺散乱Ｘ線除去用グリッド１０を散乱Ｘ線除去用グリッド収納部分７または長尺散乱Ｘ線除去用グリッド収納部分８に挿入した際、またはそこで収納されている際に、収納棚の材質との摩擦による損傷を受けない。【０００９】前面板３、裏面板４、仕切板１の高さを変えることにより、収納棚の前部に小さいサイズの散乱Ｘ線除去用グリッド９を収納し、後部に向かって段階的に大きいサイズの散乱Ｘ線除去用グリッド９を収納し、最後部に長尺散乱Ｘ線除去用グリッド１０を収納することにより、サイズを見分けることが容易であり、長尺散乱Ｘ線除去用グリッド１０が安定した状態で収納される為に転倒を防止することが可能である。【００１０】以上本考案の実施例を示したが、散乱Ｘ線除去用グリッド９または長尺散乱Ｘ線除去用グリッド１０を摩擦から保護する目的を果たすことが可能であれば、散乱Ｘ線除去用グリッド保護用緩衝材６はゴムまたはウレタン素材に限定されるものではない。また、図面１及び図面２において、散乱Ｘ線除去用グリッド収納部分７および長尺散乱Ｘ線除去用グリッド収納部分８を４箇所設けているが、仕切板１の数を増やすことで、散乱Ｘ線除去用グリッド収納部分７および長尺散乱Ｘ線除去用グリッド収納部分８を増設することが可能である。
【図面の簡単な説明】
【図１】緩衝材付き散乱Ｘ線除去用グリッド収納棚の外観斜視図である。
【図２】緩衝材付き散乱Ｘ線除去用グリッド収納棚の断面図である。
【符号の説明】
１仕切板
２サイド支柱板
３前面板
４裏面板
５底板
６散乱Ｘ線除去用グリッド保護用緩衝材
７散乱Ｘ線除去用グッド収納部分
８長尺散乱Ｘ線除去用グリッド収納部分
９散乱Ｘ線除去用グッド
１０長尺散乱Ｘ線除去用グリッド
【図１】
0003142029.tif 000003
【図２】
0003142029.tif 000004
【手続補正書】
【提出日】平成20年2月27日(2008.2.27)
【手続補正１】
【補正対象書類名】実用新案登録請求の範囲
【補正対象項目名】全文
【補正方法】変更
【補正の内容】
【実用新案登録請求の範囲】
【請求項１】
収納棚の仕切板、サイド支柱板、前面板、裏面板、底板の散乱Ｘ線除去用グリッドと接する部分に、散乱Ｘ線除去用グリッドの周辺部を保護する為の緩衝材を取り付けた散乱Ｘ線除去用グリッド収納棚。
【請求項２】
サイズ別に散乱Ｘ線除去用グリッドを収納し、最後部に長尺散乱Ｘ線除去用グリッドを収納する為に、仕切板の高さを散乱Ｘ線除去用グリッド収納棚の前部から後部に向かって段階的に高くして、二つ以上の散乱Ｘ線除去用グリッド収納部分を設けた散乱Ｘ線除去用グリッド収納棚。
(57)【要約】      （修正有）【課題】雨天時の作業において、ズボンが濡れひざ部分に密着し腰または裾ずれをおこすのを防ぐ。【解決手段】ズボンのひざ下部分の表地の裏部分にゴム付きの面ファスナーをゴム通しし、面ファスナーの粘着部分を片側は表面に固定し、もう片側は足回りの大きさに合わせ調節を可能にし、腰または裾ずれを防ぐ。【選択図】図２
0003142024.tif 000002
【実用新案登録請求の範囲】
【請求項１】
ナイロンまたはビニールからなる合羽（ズボン）の腰から足首にかけて覆ったズボンにおいて、ズボンのひざ下部分の表地の裏部分にゴム付きのマジックテープをゴム通しし、マジックテープの粘着部分を片側は表面に固定し、もう片側は足回りの大きさに合わせ調節を可能にし、腰または裾ずれを防ぐ雨具ズボン。
【考案の詳細な説明】
【技術分野】
【０００１】本考案は、雨具ズボンにひざ下部位に留め具を設けた雨具ズボンに関するものである。
【背景技術】
【０００２】従来の雨具ズボンは腰の部位にゴムが付いており腰から足首にかけて足全体を覆った形で雨天時の作業で下半身が濡れにくいというのが知られていた。
【考案の開示】
【考案が解決しようとする課題】
【０００３】しかしながら、腰から足首かけて覆う状態は雨天時の作業による場合、足の曲げ伸ばしによりズボンが密着し、腰または裾ずれになり特に裾ずれは歩行または作業時不安全になるという欠点を解決しようとするものである。
【課題を解決するための手段】
【０００４】本考案は、従来のズボンにひざ下の表地の裏にゴム通し、表地の部分でマジックテープを設けることにより調節を可能にし、雨天時の作業においてズボンの密着を防ぐことにより腰または裾ずれの上記課題を解決するものである。
【考案の効果】
【０００５】上述の様に、本考案のレインズボンは合羽本体のひざ下部分に調節可能なマジックテープ付きのゴムを合羽本体に設けたので、雨天時の作業等の際、腰または裾ずれを防ぐことは勿論安全に作業または歩行を行える。
【考案を実施するための最良の形態】
【０００６】雨具の大きさによってサイズは異なるが、通常のＭサイズの場合ズボンの足首から約３５ｃｍ上部の部分にゴム付きのマジックテープを設ける。
サイズがＬ、ＬＬと大きくなるにつれ約３ｃｍ程づつ長くしていく。
【実施例】
【０００７】以下、添付図面に従って実施例を説明していく。
ズボンの素材は表地がナイロン、裏地はＰＶＣ高弾性樹脂コーティングで形成されており、まず着用後  １  のゴムがひざ下にあたるようにし  ２  のマジックテープで締め具合を調節しながら  ３  の粘着部分でしっかりと留める。
【図面の簡単な説明】
【０００８】
【図１】レインズボンを正面から示した平面図である。
【図２】レインズボンを真上から示した断面図である。
【符号の説明】
【０００９】１    ゴム
２    マジックテープ
３    マジックテープ粘着部位
４    雨具表地
５    雨具裏地
【図１】
0003142024.tif 000003
【図２】
0003142024.tif 000004
【手続補正書】
【提出日】平成20年2月20日(2008.2.20)
【手続補正１】
【補正対象書類名】実用新案登録請求の範囲
【補正対象項目名】全文
【補正方法】変更
【補正の内容】
【実用新案登録請求の範囲】
【請求項１】
腰から足首にかけて覆う雨具ズボンにおいて、
雨具ズボンのひざ下部分にゴム付のマジックテープ（登録商標）をゴム通しして取り付け、マジックテープ（登録商標）の１つの粘着部分を雨具ズボンの表地の表面に固定し、当該粘着部分に着脱するマジックテープ（登録商標）の他の粘着部分を自由端とするとともに、足回りの大きさにあわせて自由端側の粘着部分を雨具ズボンの表面に固定した粘着部分に着脱自在に留めてひざ下部位の締め具合を調節可能とした雨具ズボン。
【手続補正２】
【補正対象書類名】明細書
【補正対象項目名】全文
【補正方法】変更
【補正の内容】
【考案の詳細な説明】
【技術分野】
【０００１】
本考案は、雨具ズボンにひざ下部位に留め具を設けた雨具ズボンに関するものである。
【背景技術】
【０００２】
従来の雨具ズボンは腰の部位にゴムが付いており腰から足首にかけて足全体を覆った形で雨天時の作業で下半身が濡れにくいというのが知られていた。
【考案の開示】
【考案が解決しようとする課題】
【０００３】
しかしながら、腰から足首にかけて覆う状態は雨天時の作業による場合、足の曲げ伸ばしによりズボンが密着し、腰または裾ずれになり特に裾ずれは歩行または作業時不安全になるという欠点があった。本考案はこの欠点を解決しようとするものである。
【課題を解決するための手段】
【０００４】
上記課題を解決するために本考案は、腰から足首にかけて覆う雨具ズボンにおいて、雨具ズボンのひざ下部分にゴム１付のマジックテープ（登録商標）２をゴム通しして取り付け、マジックテープ（登録商標）２の１つの粘着部分３を雨具ズボンの表地の表面に固定し、当該粘着部分に着脱するマジックテープ（登録商標）２の他の粘着部分３を自由端とするとともに、足回りの大きさにあわせて自由端側の粘着部分３を雨具ズボンの表面に固定した粘着部分３に着脱自在に留めてひざ下部位の締め具合を調節可能とした雨具ズボンから構成される。雨天時の作業においてズボンの密着を防ぐことにより腰又は裾ずれを防ぐ。
【考案の効果】
【０００５】
上述の様に、本考案の雨具ズボンは雨具ズボンのひざ下部分に調節可能なゴム付のマジックテープ（登録商標）を設けたので、雨天時の作業等の際、腰または裾ずれを防ぐことは勿論、安全に作業又は歩行を行える。
【考案を実施するための最良の形態】
【０００６】
雨具ズボンはナイロンまたはビニールで設けられている。雨具ズボンの大きさによってサイズは異なるが、通常のＭサイズの場合、雨具ズボンの足首から約３５ｃｍ上部の部分にゴム付きのマジックテープ（登録商標）を設ける。サイズがＬ、ＬＬと大きくなるにつれ約３ｃｍ程ずつ長くしていく。
【実施例１】
【０００７】
以下添付図面に従って実施例を説明していく。雨具ズボンの素材は表地４がナイロン、裏地５はＰＶＣ高弾性樹脂コーティングで形成されており、まず、着用後、１のゴムがひざ下にあたるようにし２のマジックテープ（登録商標）で締め具合を調節しながら、３の粘着部分でしっかりと留める。
【図面の簡単な説明】
【０００８】
【図１】雨具ズボンを正面から示した説明図である。
【図２】雨具ズボンの要部断面図である。
【符号の説明】
【０００９】
１    ゴム
２    マジックテープ（登録商標）
３    マジックテープ（登録商標）粘着部位
４    雨具表地
５    雨具裏地
(57)【要約】【課題】  日常とレジャー等多目的な眼鏡の照明付きテンプルを提供する。【解決手段】眼鏡のテンプルの先端部に発光ダイオードを設けて前方を照明し、テンプルの内部に、電池、配線等を設け、外側からスイッチのオン、オフ、ができることを特徴とする眼鏡の照明付きテンプル。【選択図】図１
0003142026.tif 000002
【実用新案登録請求の範囲】
【請求項１】
眼鏡のテンプルに発光ダイオード、電池、スイッチ、配線が組み込まれていることを特徴とする眼鏡の照明付きテンプル。
【考案の詳細な説明】
【技術分野】
【０００１】  本考案は、夜釣りのときや光量不足場所での読書等に役立ち日常とレジャー等多目的な眼鏡の照明付きテンプルに関するものである。
【背景技術】
【０００２】  従来の照明機構では、眼鏡フレームやテンプルに発光装置を突起させ取り付けていた。
【考案の開示】
【考案が解決しようとする課題】
【０００３】  そのために次のような問題点があった。
眼鏡本体と発光装置が全く異物の形態を有し、日常使用するとき他人に不快感を与えるおそれがあり、突起物の多い形態はクリーニングにも手数がかかる。
【課題を解決するための手段】
【０００４】  そこで、眼鏡のテンプルの先端部に単数又は複数の発光ダイオードを設けて前方を照明し、テンプル内部に電池と配線が埋め込まれ、テンプルの外側にはオン、オフするスイッチがあり、内部には電池交換用電池蓋が設けてある。
以上を特徴とする眼鏡の照明付きテンプルである。
【考案の効果】
【０００５】  眼鏡本体と眼鏡のテンプルに組み込まれた発光装置が一体感のある形態にまとまり、他人に不快感を与えるおそれをなくし、クリーニングも容易にできる。
【考案を実施するための最良の形態】
【０００６】  本考案の実施形態は図１に示すように、眼鏡のテンプル（１）の先端部に発光ダイオード（２）を設け、内部に交換できる電池（３）とスイッチ（４）が設けてあり、スイッチ（４）は外側からオン、オフできる。
それぞれは埋め込まれた配線（９）によって接続されている。
テンプル（１）の内側に電池交換用の電池蓋（８）を設ける。
【図面の簡単な説明】
【０００７】
【図１】  本考案の斜視図
【図２】  本考案の断面図
【符号の説明】
【０００８】  １  テンプル
２  発光ダイオード
３  電池
４  スイッチ
５  ヒンジ
６  フレーム
７  レンズ
８  電池蓋
９  配線
【図１】
0003142026.tif 000003
【図２】
0003142026.tif 000004
【手続補正書】
【提出日】平成20年2月11日(2008.2.11)
【手続補正１】
【補正対象書類名】実用新案登録請求の範囲
【補正対象項目名】全文
【補正方法】変更
【補正の内容】
【実用新案登録請求の範囲】
【請求項１】
眼鏡のテンプル先端部に発光ダイオードを設けてテンプル内部に電池、配線が組み込まれテンプルの外側にはオン、オフするスイッチがあり内側には電池交換用電池蓋が設けてあることを特徴とする眼鏡の照明付きテンプル。
【手続補正２】
【補正対象書類名】明細書
【補正対象項目名】０００４
【補正方法】変更
【補正の内容】
【０００４】そこで、眼鏡のテンプルの先端部に単数又は複数の発光ダイオードを設けて前方を照明し、テンプル内部に電池と配線が埋め込まれテンプルの外側にはオン、オフするスイッチがあり、内側には電池交換用電池蓋が設けてある。
以上を特徴とする眼鏡の照明付きテンプルである。